(57)【要約】【課題】  表示が正確で軽くレイアウトの自由度が高い広告媒体の製作システム等を提供すること。【解決手段】  デザイン用テンプレートＤＢ２１、デザイン用オブジェクトＤＢ２２及びデザイン用ワークシート２４を備える。テンプレート上に配置されたデザイン用オブジェクトの少なくとも座標及びサイズを記録可能で且つテンプレートに記録された文字内容を記録可能なデザイン用座標・属性記録部２３を備える。これらにそれぞれ対応する印刷用テンプレートＤＢ４１、印刷用オブジェクトＤＢ４２及び印刷用座標・属性記録部４３を備える。４３に記録されたデータに基づきそれぞれ対応するデザイン用ＤＢ及び記録部に記録されたデータよりも高品位の印刷が可能である。そして、デザイン用座標・属性記録部のデータを印刷用座標・属性記録部にほぼ同レイアウトを維持する状態で変換する座標・属性変換部を備える。【選択図】    図１
2007323407.tif 000002
【特許請求の範囲】
【請求項１】
基本台紙上に文字及び図形が配置された広告媒体を作成するための広告媒体作成システムであって、
基本台紙の絵柄を含むデザイン用テンプレートを複数備えたデザイン用テンプレートＤＢと、絵柄等のデザイン用オブジェクトを複数備えたデザイン用オブジェクトＤＢと、選択された前記デザイン用テンプレートの一つを表示すると共にこのデザイン用テンプレートの上に前記デザイン用オブジェクトを選択配置可能に表示するデザイン用ワークシートと、このデザイン用ワークシートで前記デザイン用テンプレート上に配置されたデザイン用オブジェクトの少なくとも座標及びサイズを記録可能で且つ前記テンプレートに記録された文字内容を記録可能なデザイン用座標・属性記録部とを備え、
前記デザイン用テンプレートＤＢ、前記デザイン用オブジェクトＤＢ及びデザイン用座標・属性記録部にそれぞれ対応する印刷用テンプレートＤＢ、印刷用オブジェクトＤＢ及び印刷用座標・属性記録部を備え、
印刷用座標・属性記録部に記録されたデータに基づきそれぞれ対応するデザイン用ＤＢ及び記録部に記録されたデータよりも高品位の印刷が可能であり、
前記デザイン用座標・属性記録部のデータを前記印刷用座標・属性記録部にほぼ同レイアウトを維持する状態で変換する座標・属性変換部を備えたことを特徴とする広告媒体作成システム。
【請求項２】
基本台紙上に文字及び図形が配置された広告媒体を作成するための広告媒体作成システムであって、
基本台紙の絵柄を含むデザイン用テンプレートを複数備えたデザイン用テンプレートＤＢと、絵柄等のデザイン用オブジェクトを複数備えたデザイン用オブジェクトＤＢと、選択された前記デザイン用テンプレートの一つを表示すると共にこのデザイン用テンプレートの上に前記デザイン用オブジェクトを選択配置可能に表示するデザイン用ワークシートと、このデザイン用ワークシートで前記デザイン用テンプレート上に配置されたデザイン用オブジェクトの少なくとも座標及びサイズを記録可能で且つ前記テンプレートに記録された文字内容を記録可能なデザイン用座標・属性記録部とを備え、
前記デザイン用テンプレートＤＢ、前記デザイン用オブジェクトＤＢ及びデザイン用座標・属性記録部にそれぞれ対応する印刷用テンプレートＤＢ、印刷用オブジェクトＤＢ及び印刷用座標・属性記録部を備え、
印刷用座標・属性記録部に記録されたデータに基づきそれぞれ対応するデザイン用ＤＢ及び記録部に記録されたデータよりも高品位の印刷が可能であり、
前記選択されたデザイン用テンプレートに対応する印刷用テンプレートを表示すると共にこの印刷用テンプレートの上に前記選択配置されたデザイン用オブジェクトに対応する印刷用オブジェクトを選択配置可能に表示する他のワークシートを備え、この他のワークシートは前記選択されたデザイン用テンプレート及び前記選択配置されたデザイン用オブジェクトも表示可能であることを特徴とする広告媒体作成システム。
【請求項３】
前記デザイン用テンプレートＤＢ、前記デザイン用オブジェクトＤＢ、デザイン用座標・属性記録部及び前記ワークシートは表示用のアプリケーションに組み込まれていることを特徴とする請求項１又は２記載の広告媒体作成システム。
【請求項４】
サーバー及びこれにネットワークで接続され表示器を備えたクライアントＰＣを備え、前記クライアントＰＣにおいて前記デザイン用ワークシートが前記表示用アプリケーションを介して表示されることを特徴とする請求項１〜３のいずれかに記載の広告媒体作成システム。
【請求項５】
前記デザイン用テンプレートが異なる広告媒体に対応する台紙を備え、前記デザイン用オブジェクトが商品絵柄を備えていることを特徴とする請求項１〜４のいずれかに記載の広告媒体作成システム。
【請求項６】
請求項３に記載の表示用アプリケーションに組み込まれて前記デザイン用テンプレートＤＢ、前記デザイン用オブジェクトＤＢ、デザイン用座標・属性記録部及び前記ワークシートを前記表示用のアプリケーション上で作動させるためのソフトウエア。
【発明の詳細な説明】
【技術分野】
【０００１】
本発明は、ＰＯＰ等の広告媒体製作システム及びこれを作動させるソフトウエアに関する。
【背景技術】
【０００２】
従来の広告媒体製作システムとしては、次の特許文献１〜３の如きものが知られている。
【特許文献１】特開２００２−７８６８号
【特許文献２】特開２００２−１１７３２０号
【特許文献３】特開２００５−１２８６７７号
【０００３】
いずれのシステムも、広告の利用者が直接的にデザインすることを目的としている。そして、予め用意された固定レイアウトの範囲で文字やオブジェクトを差し替える程度であり、デザインの自由度が不十分であった。レイアウトの自由度を向上させるにも、インターネット上を介した操作であると、ブラウザやクライアントの差による表示ズレの問題があり、ダイレクトデータの操作にすると印刷品質が低下するか操作が重くなる不都合がある。また、ＣＤ−ＲＯＭなどによる操作データの配布とすると、価値ある印刷用高品質データの漏洩や容量制限による選択肢の減少という不都合がある。
【発明の開示】
【発明が解決しようとする課題】
【０００４】
かかる従来の実情に鑑みて、本発明は、表示が正確で軽くレイアウトの自由度が高い広告媒体の製作システム及びこれを作動させるソフトウエアを提供することを目的とする。
【課題を解決するための手段】
【０００５】
上記目的を達成するため、本発明に係る広告媒体製作システムの特徴は、基本台紙上に文字及び図形が配置された広告媒体を作成するためのシステムであって、
基本台紙の絵柄を含むデザイン用テンプレートを複数備えたデザイン用テンプレートＤＢと、絵柄等のデザイン用オブジェクトを複数備えたデザイン用オブジェクトＤＢと、選択された前記デザイン用テンプレートの一つを表示すると共にこのデザイン用テンプレートの上に前記デザイン用オブジェクトを選択配置可能に表示するデザイン用ワークシートと、このデザイン用ワークシートで前記デザイン用テンプレート上に配置されたデザイン用オブジェクトの少なくとも座標及びサイズを記録可能で且つ前記テンプレートに記録された文字内容を記録可能なデザイン用座標・属性記録部とを備え、
前記デザイン用テンプレートＤＢ、前記デザイン用オブジェクトＤＢ及びデザイン用座標・属性記録部にそれぞれ対応する印刷用テンプレートＤＢ、印刷用オブジェクトＤＢ及び印刷用座標・属性記録部を備え、
印刷用座標・属性記録部に記録されたデータに基づきそれぞれ対応するデザイン用ＤＢ及び記録部に記録されたデータよりも高品位の印刷が可能であり、
前記デザイン用座標・属性記録部のデータを前記印刷用座標・属性記録部にほぼ同レイアウトを維持する状態で変換する座標・属性変換部を備えたことにある。
【０００６】
また、同システムの他の特徴は、基本台紙上に文字及び図形が配置された広告媒体を作成するためのシステムであって、
基本台紙の絵柄を含むデザイン用テンプレートを複数備えたデザイン用テンプレートＤＢと、絵柄等のデザイン用オブジェクトを複数備えたデザイン用オブジェクトＤＢと、選択された前記デザイン用テンプレートの一つを表示すると共にこのデザイン用テンプレートの上に前記デザイン用オブジェクトを選択配置可能に表示するデザイン用ワークシートと、このデザイン用ワークシートで前記デザイン用テンプレート上に配置されたデザイン用オブジェクトの少なくとも座標及びサイズを記録可能で且つ前記テンプレートに記録された文字内容を記録可能なデザイン用座標・属性記録部とを備え、
前記デザイン用テンプレートＤＢ、前記デザイン用オブジェクトＤＢ及びデザイン用座標・属性記録部にそれぞれ対応する印刷用テンプレートＤＢ、印刷用オブジェクトＤＢ及び印刷用座標・属性記録部を備え、
印刷用座標・属性記録部に記録されたデータに基づきそれぞれ対応するデザイン用ＤＢ及び記録部に記録されたデータよりも高品位の印刷が可能であり、
前記選択されたデザイン用テンプレートに対応する印刷用テンプレートを表示すると共にこの印刷用テンプレートの上に前記選択配置されたデザイン用オブジェクトに対応する印刷用オブジェクトを選択配置可能に表示する他のワークシートを備え、この他のワークシートは前記選択されたデザイン用テンプレート及び前記選択配置されたデザイン用オブジェクトも表示可能であることにある。
【０００７】
上記各特徴において、前記デザイン用テンプレートＤＢ、前記デザイン用オブジェクトＤＢ、デザイン用座標・属性記録部及び前記ワークシートは表示用のアプリケーションに組み込まれている。同特徴によれば、表示用のアプリケーション上でワークシートを作動させることで、ネット上の機種依存性等によるレイアウト上の不都合を緩和し、データがなくて取り扱いが用意であり、しかもより正確なレイアウト作業が可能となる。
【０００８】
そして、ネットワークを利用する場合には、サーバー及びこれにネットワークで接続され表示器を備えたクライアントＰＣを備え、前記クライアントＰＣにおいて前記デザイン用ワークシートが前記表示用アプリケーションを介して表示される。
【０００９】
上記特徴に加え、前記デザイン用テンプレートが異なる広告媒体に対応する台紙を備え、前記デザイン用オブジェクトが商品絵柄を備えてもよい。
【００１０】
上記特徴に記載の表示用アプリケーションに組み込まれて前記デザイン用テンプレートＤＢ、前記デザイン用オブジェクトＤＢ、デザイン用座標・属性記録部及び前記ワークシートを前記表示用のアプリケーション上で作動させるためのソフトウエアとして本発明を実施することも可能である。
【発明の効果】
【００１１】
上記本発明の特徴によれば、表示が正確で軽くレイアウトの自由度が高い広告媒体の製作システムを提供するに至った。
【００１２】
本発明の他の目的、構成及び効果については、以下の発明の実施の形態の項から明らかになるであろう。
【発明を実施するための最良の形態】
【００１３】
次に、適宜添付図面を参照しながら、本発明をさらに詳しく説明する。
図１〜４に示すように、本発明に係る広告媒体制作システム１は、サーバー２、クライアントＰＣ３、印刷用ＰＣ４、プリンター５、ネットワーク６を備えている。クライアントＰＣ３は主に顧客の会社等に設置され、サーバー２、印刷用ＰＣ４及びプリンター５は制作会社に設置される。ネットワーク６はインターネットプロトコルその他のプロトコルにより構成され、サーバー２及びクライアントＰＣ３を接続する。
【００１４】
サーバー２は、図４，５に示すような複数のデザイン用テンプレート２１ａのファイルを備えたデザイン用テンプレートＤＢ２１と、複数のデザイン用オブジェクト２２ａ，２２ｂのファイルを備えたデザイン用オブジェクトＤＢ２２と、これらのレイアウト情報等を記録するデザイン用座標・属性記録部２３とを備えている。
【００１５】
デザイン用ワークシート２４は表計算、ワードプロセッサ等の表示用アプリケーションで実現され、また、上記デザイン用テンプレートＤＢ２１、デザイン用オブジェクトＤＢ２２及びデザイン用座標・属性記録部２３は表示用アプリケーションのマクロファイルやデータファイルを利用して構成されている。デザイン用ワークシート２４はテンプレート２１ａへの作業を行うレイアウト区画２４ａ，商品絵柄２２ａを選択する商品区画２４ｂ、挿絵２２ｂを選択する挿絵区画２４ｃとを備えている。
【００１６】
レイアウト区画２４ａの下部にはテンプレート、承諾書作成又は発注書作成画面を選択するための第一選択タグ２４ｘが設けられ、商品区画２４ｂには商品絵柄２２ａのカテゴリーを選択するための第二選択タグ２４ｙが設けられ、挿絵区画２４ｃには挿絵絵柄２２ｃのカテゴリーを選択するための第三選択タグ２４ｚが設けられている。
【００１７】
図４のデザイン用ワークシート２４は、表示用アプリケーションにおいて作動する。そして、表示用サーバーシステム２５において作動するｗｅｂサーバーやＸＭＬ等のハイパーテキスト言語とクライアントＰＣの表示用クライアントシステム３１において作動するブラウザとを介して表示器３２上に表示される。このように、表示用アプリケーションを介しているので、ワークシート２４の表示レイアウトは機種依存による影響を受けにくく、より正確なワークシート２４上でのレイアウト作業が可能となる。
【００１８】
アプリケーション用ファイルは、デザイン用テンプレートＤＢ２１に連動し、デザイン用テンプレート２１ａを選択するための図２，３に示すような選択画面を有している。例えば、図２でトップボードが選択されると、さらにその下位のカテゴリーで図３のテーマに即したテンプレートが選択可能である。
【００１９】
図５に示す例では、デザイン用テンプレート２１ａとしてトップボードのものが選択され、テーマに応じた台紙の上のタイトル文字２１ａ１と追加文字２１ａ２とが自由に選択記入可能である。また、商品絵柄２２ａ，挿絵２２ｂが適宜選択可能である。図８に示すように、これらのレイアウトにおける各絵柄の座標、大きさ、姿勢、文字等、テンプレートの種類等の情報はデザイン用座標・属性記録ファイル２３ａとしてデザイン用座標・属性記録部２３に記録される。
【００２０】
図１に示すように、印刷用ＰＣ４は、デザイン用テンプレートＤＢ２１、デザイン用オブジェクトＤＢ２２及びデザイン用座標・属性記録部２３にそれぞれ対応する印刷用テンプレートＤＢ４１、印刷用オブジェクトＤＢ４２及び印刷用座標・属性記録部４３を備える。これら４１〜４３は印刷用座標・属性記録部４３に記録されたデータに基づきそれぞれ対応するデザイン用ＤＢ２１、２２及び記録部２３に記録されたデータよりも高品位の印刷が可能である。また、この印刷用ＰＣ４は、デザイン用座標・属性記録部のデータを前記印刷用座標・属性記録部にほぼ同レイアウトを維持する状態で変換する座標・属性変換部４４を備えている。印刷用データー生成部４５は、４１〜４３のデータを利用して高品位の印刷物をプリンター５に出力する。
【００２１】
次に、上記システムを用いた広告媒体の制作過程について説明する。上記サーバー２において、デザイン用ワークシート２４及び表示用サーバーシステム２５を作動させた状態で、ネットワーク６を介してクライアントＰＣ３から図４のデザイン用ワークシート２４を操作する。まず、図２，３において制作物の種別、テーマを選択し（図６、Ｓ１）、第一タグ２４ｘを操作して承諾書、発注書等の伝票を記入する（Ｓ２）。注いで、ワークシート２４上で挿絵、部品を選択配置すると共にタイトル等を記入し（Ｓ３−５）、当該結果を保存してデザイン用座標・属性記録部に記憶させる（Ｓ６）。これにより、客先からの制作物レイアウト作業が完了する。
【００２２】
注いで、サーバー２のデザイン用座標・属性記録部２３に記録されたデザイン用座標・属性記録ファイルを利用して、印刷用座標・属性記録ファイルを印刷用ＰＣ４で作成する。印刷用ＰＣ４はサーバー２と一体でも別体でも構わない。まず、図７，８に示すように、座標・属性変換部４４を起動させ（Ｓ１１）、デザイン用座標・属性記録ファイル２３ａを第一記録部４４ａにロード（Ｓ１２）し、印刷用座標・属性記録ファイル４３ａを第二記録部４４ｂに生成（Ｓ１３）する。座標・属性変換部４４は、第一記録部４４ａと第二記録部４４ｂとの項目を図８の如く変換又は対応させる他のテーブルを有しており、その対応規則は符号４４ｃの多くの矢印の如き対応で定義されている。すなわち、挿絵、部品、テンプレートはそれぞれ対応するもの同志が関連づけられ、また、その座標やサイズデータは一定比率の縮尺で変換され、デザイン用のレイアウトの情報がほぼ近い形で印刷用のレイアウトに踏襲され（Ｓ１４），保存される（Ｓ１５）。すなわち、座標・属性変換部４４は、デザイン用座標・属性記録部のデータを前記印刷用座標・属性記録部にほぼ同レイアウトを維持する状態で変換する。
【００２３】
印刷用データー生成部４５は、テンプレートＤＢ４１、印刷用オブジェクトＤＢ４２及び印刷用座標・属性記録４３のデータをロードし、高品位の印刷精度でプリンター５から印刷物を出力する。その後、出力物をカットしボード等に貼付することで、広告媒体が制作者において完成し、顧客に供給されることとなる。
【００２４】
最後に上記実施形態の改変例について言及する。
上記実施形態では、デザイン用ワークシート２４が表示用サーバーシステム２５，ネットワーク６及び表示用クライアントシステム３１を介してクライアントＰＣ３に表示された。しかし、これら２４，６，３１を省略して、２１，２２，２３を２４で動作させるファイルを記録した媒体を供給し、１台のパーソナルコンピュータ上で顧客サイドのレイアウトを行うことも可能である。この場合、例えば、そのレイアウト内容を前記アプリケーションソフトウエアのフォーマットに従う記録ファイルとして電子メール又は記録媒体を介して印刷用ＰＣ４に受け取り、後の作業を行うようにしてもよい。
【００２５】
上記実施形態では、座標・属性変換部４４によりデザイン用座標・属性記録部２３と印刷用座標・属性記録４３との間のデータ変換を行った。しかし、この座標・属性変換部４４を省略して、印刷用ＰＣに他のワークシートを設けてもよい。この他のワークシートは、２１〜２３のデータと４１〜４３のデータとを同時に並列して表示でき、それによってオペレーターがデザイン用座標・属性記録ファイル２３ａのレイアウトを参照しながら印刷用座標・属性記録ファイル４３ａを作成することができる。  
【産業上の利用可能性】
【００２６】
本発明は、顧客側でテンプレートのテーマや絵柄が自由に選択、レイアウト可能な広告媒体の作成システムとして利用することができる。
【図面の簡単な説明】
【００２７】
【図１】本発明に係る広告媒体制作システムの全体構成を示すブロック図である。
【図２】テンプレート種別の選択画面である。
【図３】テンプレートテーマの選択画面である。
【図４】ワークシートの表示画面を示す図である。
【図５】テンプレート上のレイアウト例である。
【図６】テンプレート上のレイアウト作業を示すフローである。
【図７】座標・属性変換部での変換までのステップを示すフローチャートである。
【図８】座標・属性変換部での変換状態を示す図である。
【符号の説明】
【００２８】
１：広告媒体制作システム、２：サーバー、３：クライアントＰＣ、４：印刷用ＰＣ、５：プリンター、６：ネットワーク、２１：デザイン用テンプレートＤＢ２１ａ：デザイン用テンプレート、２２：デザイン用オブジェクトＤＢ、２２ａ、２２ｂ：デザイン用オブジェクト、２３：デザイン用座標・属性記録部、２４：デザイン用ワークシート、２５：表示用サーバーシステム、３１：表示用クライアントシステム、３２：表示器４１：印刷用テンプレートＤＢ、４２：印刷用オブジェクトＤＢ、４３：印刷用座標・属性記録、４４：座標・属性変換部、４５：印刷用データー生成部
【図１】
2007323407.tif 000003
【図２】
2007323407.tif 000004
【図３】
2007323407.tif 000005
【図６】
2007323407.tif 000006
【図７】
2007323407.tif 000007
【図８】
2007323407.tif 000008
【図４】
2007323407.tif 000009
【図５】
2007323407.tif 000010